Podtech/llm-jp-corpus-v4-ja_patent huggingface dataset:
【手続補正書】
【提出日】令和2年12月11日(2020.12.11)
【手続補正１】
【補正対象書類名】特許請求の範囲
【補正対象項目名】全文
【補正方法】変更
【補正の内容】
【特許請求の範囲】
【請求項１】
被写体を透過した放射線の線量に応じた電荷を発生させる複数の放射線検出素子を備える放射線画像撮影装置において、
撮影モードとして、前記放射線画像撮影装置を制御する制御装置による制御を受けて撮影を行う被制御モードと、前記制御装置による制御を受けずに撮影を行う自立モードを有し、
前記被制御モードでの撮影が可能な状態から前記自立モードでの撮影が可能な状態になったことを通知する通知手段を有することを特徴とする放射線画像撮影装置。
【請求項２】
前記通知手段は、前記放射線画像撮影装置の筐体に配置されていることを特徴とする請求項１に記載の放射線画像撮影装置。
【請求項３】
前記通知手段は、色または点滅による通知であることを特徴とする請求項１又は請求項２に記載の放射線画像撮影装置。
【請求項４】
前記通知手段は、音声による通知であることを特徴とする請求項１に記載の放射線画像撮影装置。
【請求項５】
被写体を透過した放射線の線量に応じた電荷を発生させる複数の放射線検出素子を備える放射線画像撮影装置と、
前記放射線画像撮影装置を制御する制御装置と、
を備える放射線画像撮影システムにおいて、
前記放射線画像撮影装置は、撮影モードとして、前記制御装置による制御を受けて撮影を行う被制御モードと、前記制御装置による制御を受けずに撮影を行う自立モードを有し、
前記制御装置は、前記放射線画像撮影装置が前記被制御モードでの撮影が可能な状態から前記自立モードでの撮影が可能な状態になったことを通知する通知手段を有する、
ことを特徴とする放射線画像撮影システム。
【手続補正２】
【補正対象書類名】明細書
【補正対象項目名】００１４
【補正方法】変更
【補正の内容】
【００１４】
前記の問題を解決するために、本発明の放射線画像撮影装置は、
被写体を透過した放射線の線量に応じた電荷を発生させる複数の放射線検出素子を備える放射線画像撮影装置において、
撮影モードとして、前記放射線画像撮影装置を制御する制御装置による制御を受けて撮影を行う被制御モードと、前記制御装置による制御を受けずに撮影を行う自立モードを有し、
前記被制御モードでの撮影が可能な状態から前記自立モードでの撮影が可能な状態になったことを通知する通知手段を有することを特徴とする。
【手続補正３】
【補正対象書類名】明細書
【補正対象項目名】００１５
【補正方法】変更
【補正の内容】
【００１５】
また、本発明の放射線画像撮影システムは、
被写体を透過した放射線の線量に応じた電荷を発生させる複数の放射線検出素子を備える放射線画像撮影装置と、
前記放射線画像撮影装置を制御する制御装置と、
を備える放射線画像撮影システムにおいて、
前記放射線画像撮影装置は、撮影モードとして、前記制御装置による制御を受けて撮影を行う被制御モードと、前記制御装置による制御を受けずに撮影を行う自立モードを有し、
前記制御装置は、前記放射線画像撮影装置が前記被制御モードでの撮影が可能な状態から前記自立モードでの撮影が可能な状態になったことを通知する通知手段を有する、
ことを特徴とする。
【手続補正書】
【提出日】令和3年11月2日(2021.11.2)
【手続補正１】
【補正対象書類名】特許請求の範囲
【補正対象項目名】全文
【補正方法】変更
【補正の内容】
【特許請求の範囲】
【請求項１】
制御部を備え、
前記制御部は、プレイヤが保有する特定のオブジェクトに変化を発生させるために必要な必要素材の数をプレイヤが保有していない不足素材がある場合に、不足素材ごとに所定の画像を不足素材の画像に重畳して第１画面に表示させ、
前記制御部は、前記不足素材の画像に対する所定操作が前記プレイヤによりなされた場合に、前記不足素材を入手可能なゲームを選択可能な第２画面を表示させる、情報処理装置。
【請求項２】
前記制御部は、プレイヤから前記特定のオブジェクトを指定する操作を受け付けた場合に前記第１画面を表示させ、
前記制御部は、前記特定のオブジェクトの所定パラメータに基づく条件を満たす場合に前記所定の画像を不足素材の画像に重畳させ、前記条件を満たさない場合に前記所定の画像を不足素材の画像に重畳させない、請求項１記載の情報処理装置。
【請求項３】
前記所定操作は、プレイヤによるタッチ操作であり、
前記制御部は、前記第１画面に、前記特定のオブジェクトを表示する領域と、前記必要素材及び不足素材を表示する領域と、前記特定のオブジェクトを変化させた後のオブジェクトを表示する領域と、を含ませる請求項１又は２記載の情報処理装置。
【請求項４】
前記制御部は、前記不足素材を入手可能なゲームをプレイヤがプレイ可能である場合に、前記所定の画像を前記不足素材の画像に重畳して表示させる、請求項１乃至３のいずれかに記載の情報処理装置。
【請求項５】
前記制御部は、前記不足素材を入手可能なゲームの種類が複数ある場合、前記ゲームの種類に応じて異なる画像を前記不足素材の画像に重畳して表示させる、請求項４記載の情報処理装置。
【請求項６】
前記ゲームは、プレイ可能な期間が異なる第１ゲームと第２ゲームを含み、
前記制御部は、前記不足素材を入手可能なゲームが前記第１ゲームである場合には第１画像を、前記不足素材を入手可能なゲームが前記第２ゲームである場合には前記第１画像と異なる第２画像を、前記不足素材の画像に重畳して表示させる、請求項４又は５記載の情報処理装置。
【請求項７】
コンピュータが、プレイヤが保有する特定のオブジェクトに変化を発生させるために必要な必要素材の数をプレイヤが保有していない不足素材がある場合に、不足素材ごとに所定の画像を不足素材の画像に重畳して第１画面に表示させ、
コンピュータが、前記不足素材の画像に対する所定操作が前記プレイヤによりなされた場合に、前記不足素材を入手可能なゲームを選択可能な第２画面を表示させる、情報処理方法。
【請求項８】
プレイヤが保有する特定のオブジェクトに変化を発生させるために必要な必要素材の数をプレイヤが保有していない不足素材がある場合に、不足素材ごとに所定の画像を不足素材の画像に重畳して第１画面に表示させるステップと、
前記不足素材の画像に対する所定操作が前記プレイヤによりなされた場合に、前記不足素材を入手可能なゲームを選択可能な第２画面を表示させるステップと、をコンピュータに実行させるためのプログラム。
【手続補正書】
【提出日】令和3年1月25日(2021.1.25)
【手続補正１】
【補正対象書類名】特許請求の範囲
【補正対象項目名】全文
【補正方法】変更
【補正の内容】
【特許請求の範囲】
【請求項１】
血管内イメージングシステムを較正するためのソフトウェアベースのプログラムであって、該プログラムが前記システムのプロセッサによって実行されると、該プロセッサに、
画像データの複数のフレームにおいて、１つ又は複数の画像処理ソフトウェアモジュールを使用して、楕円形の較正特徴を識別することであって、該較正特徴は、楕円形の断面を含み、血管内プローブが、前記楕円形の断面の中心に対してオフセットして配置される、前記識別すること、
検出した前記楕円形の較正特徴を用いて、１つ又は複数の画像処理ソフトウェアモジュールを使用して、前記画像データの複数のフレームを較正すること、
連続的に較正された複数のフレームを表示すること、を含む方法を実行させる、
プログラム。
【請求項２】
前記画像データの複数のフレームを較正することは、連続的である、請求項１に記載のプログラム。
【請求項３】
前記複数のフレームを較正することは、参照反射器を動かすためのモータを動かすことなく、１つ又は複数の画像処理ソフトウェアモジュールを使用して、前記プロセッサによって実行される、請求項１に記載のプログラム。
【請求項４】
前記方法は、前記プロセッサが、較正特徴が現れると推定される画像データのフレーム内のおおよその領域を特定することをさらに含む、請求項１に記載のプログラム。
【請求項５】
前記楕円形の較正特徴は、第１の境界線を含み、該境界線は２つ以上のフレームの間で変化する、請求項１に記載のプログラム。
【請求項６】
前記楕円形の較正特徴は、前記第１の境界線の中に配置される第２の境界線を含み、該第２の境界線は、前記２つ以上のフレームの間で変化する、請求項５に記載のプログラム。
【請求項７】
前記画像データの複数のフレームは、血管内プローブを使用して収集されたデータを含む、請求項１に記載のプログラム。
【請求項８】
前記血管内プローブは、光コヒーレンストモグラフィーイメージングプローブ又は血管内超音波イメージングプローブである、請求項７に記載のプログラム。
【請求項９】
前記楕円形の較正特徴を識別することは、較正特徴の周囲寸法、較正特徴の面積寸法、較正特徴のより明るい環状サブセットの厚さ、及び較正特徴のドープ領域の厚さで構成されるグループの中から選択される１つ又は複数の制限を使用して、前記プロセッサによって実行される、請求項１に記載のプログラム。
【請求項１０】
前記方法は、
前記プロセッサが、前記複数のフレームを複数のウィンドウに分割すること、及び
前記プロセッサが、該複数のウィンドウに亘って前記楕円形の較正特徴の測定値に対して曲線をフィトさせることをさらに含む、請求項１に記載のプログラム。
【請求項１１】
前記方法は、
前記プロセッサが、前記連続的に較正されたフレーム内の１つ又は複数の側枝を検出すること、及び
前記連続的に較正された１つ又は複数のフレームに側枝を表示することをさらに含む、請求項１に記載のプログラム。
【請求項１２】
前記連続的に較正することは、前記プロセッサが、前記複数のフレームの少なくとも大部分において前記楕円形の較正特徴を識別することを含む、請求項２に記載のプログラム。
【請求項１３】
前記連続的に較正することは、較正された走査線のフレームを生成する前に、前記プロセッサが、各走査線を較正することを含む、請求項２に記載のプログラム。
【請求項１４】
前記第１の境界線の形状に応答して、前記プロセッサが、警報を生成することをさらに含む、請求項５に記載のプログラム。
【請求項１５】
前記方法は、前記楕円形の較正特徴のトラッキングの喪失に応答して、前記プロセッサが、警報を生成することをさらに含む、請求項５に記載のプログラム。
【請求項１６】
前記楕円形の較正特徴を識別することは、前記プロセッサが、フィルタを使用して候補のシースポイントを見つけることを含む、請求項１に記載のプログラム。
【請求項１７】
血管内画像データ処理システムであって、当該システムは、
メモリと、
該メモリと通信するプロセッサと、を含み、
該メモリは、命令を含み、該命令がプロセッサによって実行されると、該プロセッサに、
複数のフレームのうちの２つ以上のフレームの間で変化する楕円形の較正特徴を使用して、断面画像を含む複数のフレームを連続的に較正すること、及び
複数の連続的に校正されたフレームを表示すること、を実行させる、
システム。
【請求項１８】
前記楕円形の較正特徴は、非円形である、請求項１７に記載のシステム。
【手続補正書】
【提出日】令和3年4月22日(2021.4.22)
【手続補正１】
【補正対象書類名】特許請求の範囲
【補正対象項目名】全文
【補正方法】変更
【補正の内容】
【特許請求の範囲】
【請求項１】
遊技領域が区画形成された遊技盤と、
前記遊技盤が嵌め込まれて収容される本体枠と、
前記本体枠に配置され、前記遊技領域に向けて遊技球を発射する打球発射装置と、
前記打球発射装置によって発射された遊技球が前記遊技領域から回収された後、回収された遊技球を揚送するための揚送装置と、
前記揚送装置の近傍に配置され、球磨き部を備えた球磨き装置と、
を備え、
遊技球の払い出しを行うことなく、所定数量の遊技球を循環させることで遊技を行うようにした遊技機であって、
前記揚送装置は、遊技球を揚送するためのスクリュー部を有しており、
前記揚送装置における前記スクリュー部と前記球磨き装置とが対向する箇所において、前記スクリュー部によって揚送される遊技球は、前記揚送装置の開口部を通じて前記球磨き装置の前記球磨き部と接触しており、
前記球磨き部は、遊技球と接触して遊技球の球磨きをする球磨き布を有し、
前記球磨き布は、所定条件によりステップ状に巻き取られ、
前記揚送装置の遊技球の揚送による、遊技球と前記球磨き布との相対的な移動によって、遊技球の球磨きが行われ、
前記開口部は遊技球が通過し得ない大きさであり、
前記開口部における遊技球の進行方向と前記球磨き布の巻取り方向が交差する
ことを特徴とする遊技機。
【手続補正２】
【補正対象書類名】明細書
【補正対象項目名】００１０
【補正方法】変更
【補正の内容】
【００１０】
特に引用文献２に記載のモップ部等の遊技球と接触して遊技球のクリーニングを行う部材は、使用する箇所が一定なため早期に汚れが付着するため寿命が短く、経済的でない。
【手続補正３】
【補正対象書類名】明細書
【補正対象項目名】００１１
【補正方法】削除
【補正の内容】
【手続補正４】
【補正対象書類名】明細書
【補正対象項目名】００１３
【補正方法】変更
【補正の内容】
【００１３】
本発明は、
「遊技領域が区画形成された遊技盤と、
前記遊技盤が嵌め込まれて収容される本体枠と、
前記本体枠に配置され、前記遊技領域に向けて遊技球を発射する打球発射装置と、
前記打球発射装置によって発射された遊技球が前記遊技領域から回収された後、回収された遊技球を揚送するための揚送装置と、
前記揚送装置の近傍に配置され、球磨き部を備えた球磨き装置と、
を備え、
遊技球の払い出しを行うことなく、所定数量の遊技球を循環させることで遊技を行うようにした遊技機であって、
前記揚送装置は、遊技球を揚送するためのスクリュー部を有しており、
前記揚送装置における前記スクリュー部と前記球磨き装置とが対向する箇所において、前記スクリュー部によって揚送される遊技球は、前記揚送装置の開口部を通じて前記球磨き装置の前記球磨き部と接触しており、
前記球磨き部は、遊技球と接触して遊技球の球磨きをする球磨き布を有し、
前記球磨き布は、所定条件によりステップ状に巻き取られ、
前記揚送装置の遊技球の揚送による、遊技球と前記球磨き布との相対的な移動によって、遊技球の球磨きが行われ、
前記開口部は遊技球が通過し得ない大きさであり、
前記開口部における遊技球の進行方向と前記球磨き布の巻取り方向が交差する」ものであることを特徴とする。
また、本発明とは異なる別の発明として以下の手段を参考的に開示する。
手段１：「遊技領域が区画形成された遊技盤と、前記遊技盤が嵌め込まれて収容される本体枠と、前記本体枠の上部に配置され、前記遊技領域に向けて遊技球を発射する打球発射装置と、前記打球発射装置に、前記本体枠の下部から遊技球を搬送する揚送装置と、前記打球発射装置によって発射された遊技球を回収し、回収された前記遊技球を前記揚送装置に供給する回収装置と、前記揚送装置に隣接して配置されたカートリッジ方式の球磨き装置と、前記球磨き装置の汚れを検知する球磨き装置汚れセンサと、を備え、遊技球の払い出しを行うことなく、所定数量の遊技球を循環させることで遊技を行うようにし、前記揚送装置と前記球磨き装置とが対向する箇所において、前記揚送装置によって搬送される遊技球は、前記球磨き装置と接触しており、前記揚送装置の前記遊技球の搬送による、前記遊技球と前記球磨き装置との相対的な移動によって、前記遊技球の球磨きが行われる、封入球式遊技機であって、前記球磨き装置汚れセンサによって、前記球磨き装置が所定以上の汚れを検知したときに報知を行う報知手段を有する」ことを特徴とする。
【手続補正書】
【提出日】令和2年12月11日(2020.12.11)
【手続補正１】
【補正対象書類名】特許請求の範囲
【補正対象項目名】全文
【補正方法】変更
【補正の内容】
【特許請求の範囲】
【請求項１】
熱媒体を用いて利用者の体温を調節する温調部と、
熱交換部と、
前記温調部と前記熱交換部と間で前記熱媒体を輸送するホース部とを備え、
前記熱交換部は、
吸込口と吹出口とが形成される筐体と、
前記筐体のうちの背面部が前記利用者の人体に対向するように、前記筐体を前記人体に取り付ける保持具と、
前記吸込口から前記筐体の内部に吸い込まれた空気を前記吹出口から吐き出す送風機と、
前記熱媒体と前記空気との間で熱交換を行う熱交換器とを有し、
前記吸込口は、前記筐体のうちの前記背面部と異なる部分に形成され、
前記吹出口は、前記筐体のうちの前記吸込口より前記背面部から遠い側に形成される
身体温冷装置。
【請求項２】
前記筐体は、
前記背面部の反対側に配置される前面部と、
前記背面部と前記前面部との間に形成される側面部とをさらに有し、
前記吸込口は、前記側面部に配置される
請求項１に記載の身体温冷装置。
【請求項３】
前記吹出口は、前記側面部のうちの前記前面部と前記吸込口との間に配置される
請求項２に記載の身体温冷装置。
【請求項４】
前記吹出口は、前記前面部に配置される
請求項２に記載の身体温冷装置。
【請求項５】
前記送風機は、前記背面部に沿う平面に垂直である回転軸を中心にファンが回転することにより、前記吸込口から前記筐体の内部に吸い込まれた空気を前記吹出口から吹き出し、
前記吸込口と前記吹出口とは、前記回転軸に交差する方向に前記空気が流れるように形成される
請求項１から請求項４のいずれか一項に記載の身体温冷装置。
【請求項６】
前記ホース部を介して前記熱媒体を前記熱交換部と前記温調部との間で循環させるポンプをさらに備え、
前記ポンプは、前記筐体の内部に配置される
請求項１から請求項５のいずれか一項に記載の身体温冷装置。
【請求項７】
前記温調部に電力を供給するバッテリをさらに備え、
前記バッテリは、前記筐体の内部の下部に配置される
請求項１から請求項６のいずれか一項に記載の身体温冷装置。
【請求項８】
前記温調部を制御する制御装置をさらに備え、
前記制御装置は、前記筐体の内部に配置される
請求項１から請求項７のいずれか一項に記載の身体温冷装置。
【手続補正２】
【補正対象書類名】明細書
【補正対象項目名】０００５
【補正方法】変更
【補正の内容】
【０００５】
開示の技術は、利用者の不快感を低減する身体冷暖房装置を提供することを目的とする。
【手続補正３】
【補正対象書類名】明細書
【補正対象項目名】０００６
【補正方法】変更
【補正の内容】
【０００６】
開示の態様では、身体温冷装置は、熱媒体を用いて利用者の体温を調節する温調部と、熱交換部と、前記温調部と前記熱交換部と間で前記熱媒体を輸送するホース部とを備え、前記熱交換部は、吸込口と吹出口とが形成される筐体と、前記筐体のうちの背面部が前記利用者の人体に対向するように、前記筐体を前記人体に取り付ける保持具と、前記吸込口から前記筐体の内部に吸い込まれた空気を前記吹出口から吐き出す送風機と、前記熱媒体と前記空気との間で熱交換を行う熱交換器とを有し、前記吸込口とは、前記筐体のうちの前記背面部と異なる部分に形成され、前記吹出口とは、前記筐体が取り付けられる人体に沿う方向に前記空気が流れるようのうちの前記吸込口より前記背面部から遠い側に形成される。
【手続補正４】
【補正対象書類名】明細書
【補正対象項目名】０００７
【補正方法】変更
【補正の内容】
【０００７】
開示の身体温冷装置は、利用者の不快感を低減することができる。
【手続補正書】
【提出日】令和3年4月27日(2021.4.27)
【手続補正１】
【補正対象書類名】特許請求の範囲
【補正対象項目名】全文
【補正方法】変更
【補正の内容】
【特許請求の範囲】
【請求項１】
遊技領域に発射された遊技球が該遊技領域内の始動口に入球することに基づいて抽選を行い、該抽選の結果に基づいて図柄を変動表示させる図柄変動遊技を行う遊技機において、
前記図柄変動遊技の結果として当り結果が導出された場合に所定の当り遊技を実行する当り遊技実行手段と、
前記当り遊技中の演出を制御する演出制御手段と、を備え、
前記当り遊技中は、所定の大入賞口を開閉する単位遊技が複数回行われるものであり、
一の前記単位遊技には、前記大入賞口にＮ個の遊技球が入賞可能に設定され、
前記演出制御手段は、
一の前記単位遊技においてＮ＋１個以上の遊技球が前記大入賞口に入賞するオーバー入賞が発生したときにオーバー入賞時演出を実行するオーバー入賞時演出実行手段と、
前記当り遊技中に発生した賞球の合計を所定の演出表示装置に表示する合計表示手段と、を有し、
一の前記単位遊技において前記オーバー入賞が発生した場合であっても、所定状況下では前記オーバー入賞時演出の実行が抑制され、
一の前記単位遊技において前記オーバー入賞が発生して前記オーバー入賞時演出の実行が抑制される場合であっても、当該オーバー入賞に伴い発生した賞球は前記合計表示手段に反映される
ことを特徴とする遊技機。
【請求項２】
遊技領域に発射された遊技球が該遊技領域内の始動口に入球することに基づいて抽選を行い、該抽選の結果に基づいて図柄を変動表示させる図柄変動遊技を行う遊技機において、
前記図柄変動遊技の結果として当り結果が導出された場合に所定の当り遊技を実行する当り遊技実行手段と、
前記当り遊技中の演出を制御する演出制御手段と、を備え、
前記当り遊技中は、所定の大入賞口を開閉する単位遊技が複数回行われるものであり、
一の前記単位遊技には、前記大入賞口にＮ個の遊技球が入賞可能に設定され、
前記演出制御手段は、一の前記単位遊技において前記大入賞口とは別の特定入賞口への入賞が発生したときに特定入賞時演出を実行する特定入賞時実行手段と、
前記当り遊技中に発生した賞球の合計を所定の演出表示装置に表示する合計表示手段と、を有し、
一の前記単位遊技において前記特定入賞口への入賞が発生した場合であっても、所定状況下では前記特定入賞時演出の実行が抑制され、
一の前記単位遊技において前記特定入賞口への入賞が発生して前記特定入賞時演出の実行が抑制された場合であっても、前記特定入賞口への入賞に伴い発生した賞球は前記合計表示手段に反映される
ことを特徴とする遊技機。
【手続補正２】
【補正対象書類名】明細書
【補正対象項目名】０００４
【補正方法】変更
【補正の内容】
【０００４】
しかしながら、従来のパチンコ機等の演出と同等の演出を行っているだけでは、遊技興趣の低下を招く虞がある。
【手続補正３】
【補正対象書類名】明細書
【補正対象項目名】０００５
【補正方法】変更
【補正の内容】
【０００５】
本発明は、このような事情に鑑みてなされたものであり、その目的とするところは、遊技興趣の低下を抑制することができる遊技機を提供することにある。
【手続補正４】
【補正対象書類名】明細書
【補正対象項目名】０００７
【補正方法】変更
【補正の内容】
【０００７】
本発明は、
遊技領域に発射された遊技球が該遊技領域内の始動口に入球することに基づいて抽選を行い、該抽選の結果に基づいて図柄を変動表示させる図柄変動遊技を行う遊技機において、
前記図柄変動遊技の結果として当り結果が導出された場合に所定の当り遊技を実行する当り遊技実行手段と、
前記当り遊技中の演出を制御する演出制御手段と、を備え、
前記当り遊技中は、所定の大入賞口を開閉する単位遊技が複数回行われるものであり、
一の前記単位遊技には、前記大入賞口にＮ個の遊技球が入賞可能に設定され、
前記演出制御手段は、
一の前記単位遊技においてＮ＋１個以上の遊技球が前記大入賞口に入賞するオーバー入賞が発生したときにオーバー入賞時演出を実行するオーバー入賞時演出実行手段と、
前記当り遊技中に発生した賞球の合計を所定の演出表示装置に表示する合計表示手段と、を有し、
一の前記単位遊技において前記オーバー入賞が発生した場合であっても、所定状況下では前記オーバー入賞時演出の実行が抑制され、
一の前記単位遊技において前記オーバー入賞が発生して前記オーバー入賞時演出の実行が抑制される場合であっても、当該オーバー入賞に伴い発生した賞球は前記合計表示手段に反映される
ことを特徴とする。
また、
遊技領域に発射された遊技球が該遊技領域内の始動口に入球することに基づいて抽選を行い、該抽選の結果に基づいて図柄を変動表示させる図柄変動遊技を行う遊技機において、
前記図柄変動遊技の結果として当り結果が導出された場合に所定の当り遊技を実行する当り遊技実行手段と、
前記当り遊技中の演出を制御する演出制御手段と、を備え、
前記当り遊技中は、所定の大入賞口を開閉する単位遊技が複数回行われるものであり、
一の前記単位遊技には、前記大入賞口にＮ個の遊技球が入賞可能に設定され、
前記演出制御手段は、一の前記単位遊技において前記大入賞口とは別の特定入賞口への入賞が発生したときに特定入賞時演出を実行する特定入賞時実行手段と、
前記当り遊技中に発生した賞球の合計を所定の演出表示装置に表示する合計表示手段と、を有し、
一の前記単位遊技において前記特定入賞口への入賞が発生した場合であっても、所定状況下では前記特定入賞時演出の実行が抑制され、
一の前記単位遊技において前記特定入賞口への入賞が発生して前記特定入賞時演出の実行が抑制された場合であっても、前記特定入賞口への入賞に伴い発生した賞球は前記合計表示手段に反映される
ことを特徴とする。
【手続補正５】
【補正対象書類名】明細書
【補正対象項目名】００１７
【補正方法】変更
【補正の内容】
【００１７】
本発明によれば、遊技興趣の低下を抑制することができる。
【手続補正書】
【提出日】令和3年1月15日(2021.1.15)
【手続補正１】
【補正対象書類名】特許請求の範囲
【補正対象項目名】全文
【補正方法】変更
【補正の内容】
【特許請求の範囲】
【請求項１】
医療用注入システムにおいて使用するための流体ハンドリングカセットであって、
第１および第２のポンプチャンバ（１８１）を有する略平面的な本体であって、前記第１および第２のポンプチャンバ（１８１）はそれぞれ前記本体の第１の側面に凹みとして形成され、各ポンプチャンバは、個々のポンプチャンバを前記本体の第２の側面に接続する第１のポート（１８７）および第２のポート（１９１）を有する、前記本体と、
第１及び第２のグループのバルブウェルを含む、前記本体の前記第１の側面上の複数のバルブウェルであって、前記第１のグループのバルブウェル（１８９，１９４）におけるバルブウェルはそれぞれ個々のバルブウェルを前記本体の前記第２の側面に接続するバルブポート（１９０，１９２）および開口部（１８８，１９３）を含んでおり、
前記第２のグループのバルブウェル（１８３）におけるバルブウェルは、それぞれ個々のバルブウェルを前記本体の前記第２の側面に接続するバルブポート（１８４）を含むとともに、それぞれ前記本体の第１の端部に配置された複数のカセットポート（１５０，１５２，１５４）の個々の１つに流体的に接続される、前記複数のバルブウェルと、
前記本体の前記第２の側面上の第１および第２の流体流路（２００，２０２）であって、各流体流路は、前記第１のグループのバルブウェルの少なくとも１つのバルブウェルを介して個々のポンプチャンバの前記第１のポートまたは前記第２のポートに接続され、
前記第１および第２の流体流路は、それぞれ前記第２のグループのバルブウェルの個々のバルブウェルを介して前記複数のカセットポートの少なくとも１つに接続される、前記第１および第２の流体流路（２００，２０２）と、を備える流体ハンドリングカセット。
【請求項２】
前記第２の流体流路は、前記複数のカセットポートのうちの患者ラインカセットポートに接続され、前記患者ラインカセットポートは、患者ラインに接続するように構成されている、請求項１に記載の流体ハンドリングカセット。
【請求項３】
前記第１の流体流路は、前記複数のカセットポートのうちの廃液ラインカセットポートおよび加熱ラインカセットポートに接続され、前記廃液ラインカセットポートは、廃液ラインに接続するように構成され、前記加熱ラインカセットポートは、加熱バッグラインに接続するように構成されている、請求項１に記載の流体ハンドリングカセット。
【請求項４】
第３のグループのバルブウェル（１８５）をさらに備え、各バルブウェルは、個々のバルブウェルを前記本体の前記第２の側面に接続するバルブポート（１８６）を含み、前記第３のグループのバルブウェルの各バルブウェルは、前記本体の第２の端部に配置された溶液ラインと流体連通するように構成されている、請求項１に記載の流体ハンドリングカセット。
【請求項５】
前記第３のグループのバルブウェルの各バルブウェルは、前記本体の前記第２の端部にある溶液ラインスパイクのルーメンに接続されている、請求項４に記載の流体ハンドリングカセット。
【請求項６】
前記第２の流体流路は、前記第３のグループのバルブウェルの個々のバルブポートを介して前記第３のグループのバルブウェルに接続されている、請求項４に記載の流体ハンドリングカセット。
【請求項７】
前記カセットは、前記ポンプチャンバおよび前記複数のバルブウェルを覆うように前記本体の前記第１の側面に取り付けられた第１の可撓性膜（１５）を備え、前記ポンプチャンバを覆う前記第１の可撓性膜は、前記ポンプチャンバ内の流体を移動させるように構成され、前記複数のバルブウェルを覆う前記第１の可撓性膜は、個々のバルブウェルのバルブポートを選択的に閉塞するように構成される、請求項１または４に記載の流体ハンドリングカセット。
【請求項８】
前記第１および第２の流体流路は、前記本体の前記第２の側面上にある壁を含み、前記カセットは、前記本体の前記第２の側面に取り付けられた剛性または可撓性のシート（１６）を備え、前記シートは、前記壁と封止接触して前記第１および第２の流体流路を形成するように構成されている、請求項１または４に記載の流体ハンドリングカセット。
【手続補正書】
【提出日】令和3年4月26日(2021.4.26)
【手続補正１】
【補正対象書類名】特許請求の範囲
【補正対象項目名】全文
【補正方法】変更
【補正の内容】
【特許請求の範囲】
【請求項１】
遊技領域が形成された遊技盤と、
前記遊技領域の所定位置に設けられる始動口と、
前記始動口への入球を契機として取得した抽選値に基づいて通常遊技より遊技者に有利な状態である特別遊技への移行可否を判定する当否判定を実行する当否判定手段と、
特別図柄を表示可能な特別図柄表示装置と、
前記特別図柄表示装置に前記当否判定が所定結果であることを示す特別図柄が停止表示された場合、その停止表示後に前記特別遊技へ移行させる特別遊技制御手段と、
演出を表示可能な演出表示装置と、
遊技者の操作に応じて前記遊技領域に遊技球を発射可能な発射装置と、を備え、
前記特別図柄の変動開始から変動停止までの特別図柄変動期間に前記演出表示装置に演出用図柄を変動表示可能であり、
前記演出表示装置に変動表示される前記演出用図柄として、装飾図柄と、簡易図柄とを少なくとも有し、
前記演出表示装置に前記装飾図柄が複数の装飾図柄列にて変動表示され、前記演出表示装置に前記簡易図柄が複数の簡易図柄列にて変動表示され、
前記複数の装飾図柄列のうち少なくとも一つの装飾図柄列にて変動表示される装飾図柄は、前記特別図柄変動期間の途中で変動速度が変化する、又は、複数段階の変動速度に変化可能である一方、前記複数の簡易図柄列にて変動表示される簡易図柄は、前記特別図柄変動期間の途中で変動速度が変化しない、又は、前記装飾図柄よりも少ない段階数の変動速度に変化可能である弾球遊技機。
【手続補正２】
【補正対象書類名】明細書
【補正対象項目名】０００６
【補正方法】変更
【補正の内容】
【０００６】
本発明のある態様の弾球遊技機は、遊技領域が形成された遊技盤と、前記遊技領域の所定位置に設けられる始動口と、前記始動口への入球を契機として取得した抽選値に基づいて通常遊技より遊技者に有利な状態である特別遊技への移行可否を判定する当否判定を実行する当否判定手段と、特別図柄を表示可能な特別図柄表示装置と、前記特別図柄表示装置に前記当否判定が所定結果であることを示す特別図柄が停止表示された場合、その停止表示後に前記特別遊技へ移行させる特別遊技制御手段と、演出を表示可能な演出表示装置と、遊技者の操作に応じて前記遊技領域に遊技球を発射可能な発射装置と、を備え、前記特別図柄の変動開始から変動停止までの特別図柄変動期間に前記演出表示装置に演出用図柄を変動表示可能であり、前記演出表示装置に変動表示される前記演出用図柄として、装飾図柄と、簡易図柄とを少なくとも有し、前記演出表示装置に前記装飾図柄が複数の装飾図柄列にて変動表示され、前記演出表示装置に前記簡易図柄が複数の簡易図柄列にて変動表示され、前記複数の装飾図柄列のうち少なくとも一つの装飾図柄列にて変動表示される装飾図柄は、前記特別図柄変動期間の途中で変動速度が変化する、又は、複数段階の変動速度に変化可能である一方、前記複数の簡易図柄列にて変動表示される簡易図柄は、前記特別図柄変動期間の途中で変動速度が変化しない、又は、前記装飾図柄よりも少ない段階数の変動速度に変化可能である。
＜付記＞
尚、本発明のある態様とは異なる別態様について以下に列記しておくが、これらには何ら限定されることなく実施することが可能である。
本発明のある態様とは異なる別態様の弾球遊技機は、遊技領域が形成された遊技盤と、遊技領域の所定位置に設けられる始動口と、始動口への入球を契機として取得した抽選値に基づいて当否判定を実行する当否判定手段と、当否判定の結果を示すための図柄が変動表示される図柄表示装置と、演出が表示される演出表示装置と、を備える。演出表示装置に表示される演出の傾向が異なる第１演出モードと第２演出モードとがあり、図柄の変動停止後、所定条件が充足される場合、遊技待機中に表示される待機デモの表示が開始され、第１演出モードにて図柄が変動停止してから待機デモが表示されるまでの第１時間よりも、第２演出モードにて図柄が変動停止してから待機デモが表示されるまでの第２時間の方が短い。
【手続補正書】
【提出日】令和3年5月6日(2021.5.6)
【手続補正１】
【補正対象書類名】特許請求の範囲
【補正対象項目名】全文
【補正方法】変更
【補正の内容】
【特許請求の範囲】
【請求項１】
遊技領域内の受入領域への遊技媒体の受け入れを契機に取得可能な始動情報を所定数まで記憶可能な始動情報記憶手段と、
前記始動情報に基づいて、抽選を実行可能な抽選実行手段と、
前記抽選の抽選結果に基づいて、図柄の変動表示を含む演出を表示装置にて実行可能な演出実行手段と、
前記抽選の前記抽選結果が特定結果となる場合に、遊技者に有利な特定遊技状態に制御する特定遊技状態制御手段と、
前記抽選の前記抽選結果が前記特定結果となるか否かを前記変動表示の実行前に判定可能な事前判定手段と、
前記始動情報記憶手段によって記憶される前記始動情報を、当該始動情報に対応する図柄の変動表示が終了するまで始動記憶表示として個々に表示可能な始動記憶表示手段と、
前記始動情報記憶手段によって記憶される前記始動情報の数を表示可能な始動記憶数表示手段と、
前記事前判定手段による判定結果に基づいて、判定された前記始動情報の前記変動表示が実行される前に、判定された当該始動情報が前記特定結果となる期待度を示唆する事前演出を実行可能な事前演出実行手段と、
前記図柄の変動表示が行われる変動領域を用いた特定演出を実行可能な複合演出実行手段と、を備え、
前記特定演出が実行されている状況では、前記始動記憶表示手段により表示される複数の前記始動記憶表示のうち、少なくとも前記事前演出の対象でない前記始動記憶表示が非表示とされ、
前記特定演出が実行され、少なくとも前記事前演出の対象でない前記始動記憶表示が非表示となっている間、前記始動記憶数表示手段により前記始動情報記憶手段によって記憶される前記始動情報の数を表示可能であり、
前記始動記憶数表示手段によって表示される前記始動情報の数の表示は、その表示位置が変わることなく特定の表示位置にて表示される
ことを特徴とする遊技機。
【手続補正２】
【補正対象書類名】明細書
【補正対象項目名】０００２
【補正方法】変更
【補正の内容】
【０００２】
従来、始動条件の成立により、複数の図柄を変動表示させ、図柄の停止結果が所定の態様となった場合に所定の遊技価値を付与する遊技機が知られている。このような遊技機では、先行する図柄の変動表示中に成立した始動条件を所定数まで保留可能にし、保留状態を画像表示することで遊技者が当該保留状態を把握しやすいように構成している（例えば、特許文献１参照）。
【手続補正３】
【補正対象書類名】明細書
【補正対象項目名】０００４
【補正方法】変更
【補正の内容】
【０００４】
上記した遊技機の中には、保留状態を示す画像表示において、保留中の始動条件に対応する図柄の停止結果が所定の態様となる期待度を事前に報知する演出（先読み演出）を実行するものがあるが、画一化されつつある演出に遊技者の関心が薄れ、遊技興趣の低下が懸念される。
【手続補正４】
【補正対象書類名】明細書
【補正対象項目名】０００６
【補正方法】変更
【補正の内容】
【０００６】
本発明の代表的な遊技機の一形態では、遊技領域内の受入領域への遊技媒体の受け入れを契機に取得可能な始動情報を所定数まで記憶可能な始動情報記憶手段と、前記始動情報に基づいて、抽選を実行可能な抽選実行手段と、前記抽選の抽選結果に基づいて、図柄の変動表示を含む演出を表示装置にて実行可能な演出実行手段と、前記抽選の前記抽選結果が特定結果となる場合に、遊技者に有利な特定遊技状態に制御する特定遊技状態制御手段と、前記抽選の前記抽選結果が前記特定結果となるか否かを前記変動表示の実行前に判定可能な事前判定手段と、前記始動情報記憶手段によって記憶される前記始動情報を、当該始動情報に対応する図柄の変動表示が終了するまで始動記憶表示として個々に表示可能な始動記憶表示手段と、前記始動情報記憶手段によって記憶される前記始動情報の数を表示可能な始動記憶数表示手段と、前記事前判定手段による判定結果に基づいて、判定された前記始動情報の前記変動表示が実行される前に、判定された当該始動情報が前記特定結果となる期待度を示唆する事前演出を実行可能な事前演出実行手段と、前記図柄の変動表示が行われる変動領域を用いた特定演出を実行可能な複合演出実行手段と、を備え、前記特定演出が実行されている状況では、前記始動記憶表示手段により表示される複数の前記始動記憶表示のうち、少なくとも前記事前演出の対象でない前記始動記憶表示が非表示とされ、前記特定演出が実行され、少なくとも前記事前演出の対象でない前記始動記憶表示が非表示となっている間、前記始動記憶数表示手段により前記始動情報記憶手段によって記憶される前記始動情報の数を表示可能であり、前記始動記憶数表示手段によって表示される前記始動情報の数の表示は、その表示位置が変わることなく特定の表示位置にて表示されることを特徴とする。
【手続補正書】
【提出日】令和3年4月28日(2021.4.28)
【手続補正１】
【補正対象書類名】特許請求の範囲
【補正対象項目名】全文
【補正方法】変更
【補正の内容】
【特許請求の範囲】
【請求項１】
所定数の遊技球を収容し、
前記遊技球が転動する遊技領域を形成する遊技盤と、
前記遊技球を発射する発射装置と、を備え、
前記遊技盤は、遊技球回収口を備え、
前記発射装置によって前記遊技球を前記遊技領域に発射し、発射された前記遊技球は、前記遊技領域を転動後に前記遊技球回収口より遊技領域から回収され、前記遊技球回収口から回収された前記遊技球は、前記発射装置に揚送されて、前記遊技球を循環して使用して遊技を行わせる封入球式遊技機において、
前記遊技球回収口が遊技に供する前記遊技球を封入する際の遊技球導入口を兼ねており、
前記遊技球導入口から導入された導入球を、前記発射装置に向けて揚送するための揚送装置と、
前記揚送装置に隣接して着脱可能に配置され、前記導入球を磨くための球磨き部を有する球磨き装置と、を備え、
前記揚送装置は、遊技球を揚送するためのスクリュー部を有しており、
前記球磨き装置が装着されると前記揚送装置と前記球磨き装置とが対向する箇所において、前記揚送装置によって揚送される前記導入球が前記球磨き装置の前記球磨き部と接触し、
前記揚送装置による前記遊技球の揚送による、前記導入球と前記球磨き装置の前記球磨き部との相対的な移動によって、前記導入球の球磨きが行われ、
前記揚送装置を駆動する駆動源の駆動力を利用し、揚送とともに球磨きされた前記導入球が前記発射装置にセットされる
ことを特徴とする遊技機。
【手続補正２】
【補正対象書類名】明細書
【補正対象項目名】０００７
【補正方法】変更
【補正の内容】
【０００７】
所定数の遊技球を収容し、
前記遊技球が転動する遊技領域を形成する遊技盤と、
前記遊技球を発射する発射装置と、を備え、
前記遊技盤は、遊技球回収口を備え、
前記発射装置によって前記遊技球を前記遊技領域に発射し、発射された前記遊技球は、前記遊技領域を転動後に前記遊技球回収口より遊技領域から回収され、前記遊技球回収口から回収された前記遊技球は、前記発射装置に揚送されて、前記遊技球を循環して使用して遊技を行わせる封入球式遊技機において、
前記遊技球回収口が遊技に供する前記遊技球を封入する際の遊技球導入口を兼ねており、
前記遊技球導入口から導入された導入球を、前記発射装置に向けて揚送するための揚送装置と、
前記揚送装置に隣接して着脱可能に配置され、前記導入球を磨くための球磨き部を有する球磨き装置と、を備え、
前記揚送装置は、遊技球を揚送するためのスクリュー部を有しており、
前記球磨き装置が装着されると前記揚送装置と前記球磨き装置とが対向する箇所において、前記揚送装置によって揚送される前記導入球が前記球磨き装置の前記球磨き部と接触し、
前記揚送装置による前記遊技球の揚送による、前記導入球と前記球磨き装置の前記球磨き部との相対的な移動によって、前記導入球の球磨きが行われ、
前記揚送装置を駆動する駆動源の駆動力を利用し、揚送とともに球磨きされた前記導入球が前記発射装置にセットされる
ことを特徴とする
【手続補正書】
【提出日】令和2年12月24日(2020.12.24)
【手続補正１】
【補正対象書類名】特許請求の範囲
【補正対象項目名】全文
【補正方法】変更
【補正の内容】
【特許請求の範囲】
【請求項１】
遊技領域へ向けて遊技球を発射する発射装置と、遊技球が通過可能に構成される通過手段と、その通過手段を遊技球が通過不能とする閉状態から前記通過手段を遊技球が通過可能とする開状態にさせるために変位する開閉変位手段と、その開閉変位手段を駆動する駆動手段と、を備える遊技機において、
前記開閉変位手段の変位に対応して駆動される被駆動手段を備え、その被駆動手段は、前記開閉変位手段に比較して、状態変化の識別が容易となるように構成され、
前記被駆動手段は、前記状態変化によって遊技球の流下経路を変化させるように構成され、
前記遊技機は、前記閉状態から前記開状態にさせる場合において、前記開閉変位手段の変位が開始された後に前記被駆動手段の前記状態変化が開始されるように構成されることを特徴とする遊技機。
【請求項２】
基板ボックスを備えることを特徴とする請求項１記載の遊技機。
【手続補正２】
【補正対象書類名】明細書
【補正対象項目名】０００６
【補正方法】変更
【補正の内容】
【０００６】
この目的を達成するために請求項１記載の遊技機は、遊技領域へ向けて遊技球を発射する発射装置と、遊技球が通過可能に構成される通過手段と、その通過手段を遊技球が通過不能とする閉状態から前記通過手段を遊技球が通過可能とする開状態にさせるために変位する開閉変位手段と、その開閉変位手段を駆動する駆動手段と、を備える遊技機であって、前記開閉変位手段の変位に対応して駆動される被駆動手段を備え、その被駆動手段は、前記開閉変位手段に比較して、状態変化の識別が容易となるように構成され、前記被駆動手段は、前記状態変化によって遊技球の流下経路を変化させるように構成され、前記遊技機は、前記閉状態から前記開状態にさせる場合において、前記開閉変位手段の変位が開始された後に前記被駆動手段の前記状態変化が開始されるように構成される。
【手続補正３】
【補正対象書類名】明細書
【補正対象項目名】０００７
【補正方法】変更
【補正の内容】
【０００７】
請求項２記載の遊技機は、請求項１記載の遊技機において、基板ボックスを備える。
【手続補正４】
【補正対象書類名】明細書
【補正対象項目名】００１０
【補正方法】変更
【補正の内容】
【００１０】
請求項２記載の遊技機によれば、請求項１記載の遊技機の奏する効果に加え、基板ボックスに基板を収容することができる。
【手続補正書】
【提出日】令和3年4月21日(2021.4.21)
【手続補正１】
【補正対象書類名】特許請求の範囲
【補正対象項目名】全文
【補正方法】変更
【補正の内容】
【特許請求の範囲】
【請求項１】
遊技領域が区画形成された遊技盤と、
前記遊技盤が嵌め込まれて収容される本体枠と、
前記本体枠に配置され、前記遊技領域に向けて遊技球を発射する打球発射装置と、
前記打球発射装置によって発射された遊技球が前記遊技領域から回収された後、回収された遊技球を揚送するための揚送装置と、
前記揚送装置の近傍に配置され、球磨き部を備えた球磨き装置と、
を備え、
遊技球の払い出しを行うことなく、所定数量の遊技球を循環させることで遊技を行うようにした遊技機であって、
前記揚送装置は、遊技球を揚送するためのスクリュー部を有しており、
前記揚送装置における前記スクリュー部と前記球磨き装置とが対向する箇所において、前記スクリュー部によって揚送される遊技球は、前記球磨き装置の前記球磨き部と接触しており、
前記揚送装置における前記スクリュー部は、第１部位と、該第１部位よりもピッチの間隔が狭く形成される第２部位とを有し、前記スクリュー部の前記第２部位によって揚送される遊技球を前記球磨き装置の前記球磨き部と対向して接触させることによって、前記球磨き装置の前記球磨き部と対向する箇所における単位時間あたりの遊技球の揚送距離が、前記第１部位における単位時間あたりの遊技球の揚送距離よりも小さくなるように構成されており、
前記球磨き装置は、前記球磨き部に遊技球と接触して遊技球の球磨きをする球磨き布を備えており、
前記球磨き布は、所定条件によりステップ状に巻き取られる
ことを特徴とする遊技機。
【手続補正２】
【補正対象書類名】明細書
【補正対象項目名】００１１
【補正方法】変更
【補正の内容】
【００１１】
本発明は、
「遊技領域が区画形成された遊技盤と、
前記遊技盤が嵌め込まれて収容される本体枠と、
前記本体枠に配置され、前記遊技領域に向けて遊技球を発射する打球発射装置と、
前記打球発射装置によって発射された遊技球が前記遊技領域から回収された後、回収された遊技球を揚送するための揚送装置と、
前記揚送装置の近傍に配置され、球磨き部を備えた球磨き装置と、
を備え、
遊技球の払い出しを行うことなく、所定数量の遊技球を循環させることで遊技を行うようにした遊技機であって、
前記揚送装置は、遊技球を揚送するためのスクリュー部を有しており、
前記揚送装置における前記スクリュー部と前記球磨き装置とが対向する箇所において、前記スクリュー部によって揚送される遊技球は、前記球磨き装置の前記球磨き部と接触しており、
前記揚送装置における前記スクリュー部は、第１部位と、該第１部位よりもピッチの間隔が狭く形成される第２部位とを有し、前記スクリュー部の前記第２部位によって揚送される遊技球を前記球磨き装置の前記球磨き部と対向して接触させることによって、前記球磨き装置の前記球磨き部と対向する箇所における単位時間あたりの遊技球の揚送距離が、前記第１部位における単位時間あたりの遊技球の揚送距離よりも小さくなるように構成されており、
前記球磨き装置は、前記球磨き部に遊技球と接触して遊技球の球磨きをする球磨き布を備えており、
前記球磨き布は、所定条件によりステップ状に巻き取られる」ものであることを特徴とする。
また、本発明とは異なる別の発明として以下の手段を参考的に開示する。
手段１：「遊技領域が区画形成された遊技盤と、
前記遊技盤が嵌め込まれて収容される本体枠と、
前記本体枠の上部に配置され、前記遊技領域に向けて遊技球を発射する打球発射装置と、
前記打球発射装置に、前記本体枠の下部から遊技球を搬送する揚送装置と、
前記打球発射装置によって発射された遊技球を回収し、回収された前記遊技球を前記揚送装置に供給する回収装置と、
前記揚送装置に隣接して配置された球磨き装置と、
を備え、
遊技球の払い出しを行うことなく、所定数量の遊技球を循環させることで遊技を行うようにした遊技機であって、
前記揚送装置と前記球磨き装置とが対向する箇所において、前記揚送装置によって搬送される遊技球は、前記球磨き装置と接触しており、
前記揚送装置による前記遊技球の搬送による、前記遊技球と前記球磨き装置との相対的な移動によって、前記遊技球の球磨きが行われ、
前記球磨き装置は、遊技球と接触して前記遊技球の球磨きをする球磨き布を備えており、
前記球磨き布は、遊技者が遊技を行っている遊技時間の所定時間ごとにステップ状に巻き取られる」ものであることを特徴とする。
【手続補正書】
【提出日】令和3年1月8日(2021.1.8)
【手続補正１】
【補正対象書類名】特許請求の範囲
【補正対象項目名】全文
【補正方法】変更
【補正の内容】
【特許請求の範囲】
【請求項１】
球が流下する遊技領域と、その遊技領域を流下した球が通過する入球口と、その入球口の上流側から流下する球を前記入球口へ案内可能な第１状態と前記入球口の上流側から流下する球を前記入球口へ案内不能な第２状態とで切り替えられる入球切替手段と、前記入球口への入球を検出する検出手段と、を備える遊技機において、
前記入球口を通過した球が所定個数まで同時に存在可能な所定空間を構成する空間構成手段と、
前記入球切替手段が前記第２状態に切り替えられた状態において前記所定空間に存在している球を前記所定空間から排出可能な排出手段とを備え、
前記所定空間に球が存在している状態で前記入球切替手段を前記第１状態に切替可能に構成され、
前記所定空間に存在している遊技球が視認可能に構成され、
前記第２状態が維持される期間が第１期間である場合と、前記第２状態が維持される期間が前記第１期間よりも短い第２期間である場合とがあり、
前記第２状態が維持される期間が前記第１期間である前記第２状態の後も、前記第２状態が維持される期間が前記第２期間である前記第２状態の後も、前記第１状態へ切り替え可能に構成されることを特徴とする遊技機。
【請求項２】
基板ボックスを備えることを特徴とする請求項１記載の遊技機。
【手続補正２】
【補正対象書類名】明細書
【補正対象項目名】０００２
【補正方法】変更
【補正の内容】
【０００２】
ここで、パチンコ機等の遊技機において、入球口へ球を案内可能な状態と入球口へ球を案内不能な状態とで切り替えられる入球切替手段を備える遊技機がある（特許文献１）。
【手続補正３】
【補正対象書類名】明細書
【補正対象項目名】０００６
【補正方法】変更
【補正の内容】
【０００６】
この目的を達成するために請求項１記載の遊技機は、球が流下する遊技領域と、その遊技領域を流下した球が通過する入球口と、その入球口の上流側から流下する球を前記入球口へ案内可能な第１状態と前記入球口の上流側から流下する球を前記入球口へ案内不能な第２状態とで切り替えられる入球切替手段と、前記入球口への入球を検出する検出手段と、を備える遊技機であって、前記入球口を通過した球が所定個数まで同時に存在可能な所定空間を構成する空間構成手段と、前記入球切替手段が前記第２状態に切り替えられた状態において前記所定空間に存在している球を前記所定空間から排出可能な排出手段とを備え、前記所定空間に球が存在している状態で前記入球切替手段を前記第１状態に切替可能に構成され、前記所定空間に存在している遊技球が視認可能に構成され、前記第２状態が維持される期間が第１期間である場合と、前記第２状態が維持される期間が前記第１期間よりも短い第２期間である場合とがあり、前記第２状態が維持される期間が前記第１期間である前記第２状態の後も、前記第２状態が維持される期間が前記第２期間である前記第２状態の後も、前記第１状態へ切り替え可能に構成される。
請求項２記載の遊技機は、請求項１記載の遊技機において、基板ボックスを備える。
【手続補正４】
【補正対象書類名】明細書
【補正対象項目名】０００８
【補正方法】変更
【補正の内容】
【０００８】
請求項２記載の遊技機によれば、請求項１記載の遊技機の奏する効果に加え、基板ボックスに基板を収容することができる。
【手続補正書】
【提出日】令和3年7月6日(2021.7.6)
【手続補正１】
【補正対象書類名】特許請求の範囲
【補正対象項目名】全文
【補正方法】変更
【補正の内容】
【特許請求の範囲】
【請求項１】
表示器（２、３）への描画を行う描画部（１６、１７、１８）と、
車両を停止させる操作を示す信号が入力される入力部（２４）と、
前記表示器に車両の状態に関する情報を表示する機能部とマルチメディア系の情報を表示する機能部を含む複数の機能部と、
前記入力部に車両を停止させる操作を示す信号が入力された際、前記表示器への描画が必要とされなくなるまでの期間、前記描画部を動作状態に維持し、当該期間が経過した後に複数の前記機能部を順次終了させて車両用装置を停止させる終了シーケンスを開始する維持部（２５）と、
を備える車両用装置。
【請求項２】
前記表示器は、メータディスプレイ（２）である請求項１記載の車両用装置。
【請求項３】
前記入力部には、ドアの開放を示す信号が入力され、
前記維持部は、車両を停止させる操作を示す信号が入力された後、ドアの開放を示す信号が入力されるまでの期間、前記描画部を動作状態に維持する請求項１または２記載の車両用装置。
【請求項４】
時間を計測する計測部（２６）を備え、
前記維持部は、車両を停止させる操作を示す信号が入力された後、前記計測部によって計測された時間が所定の待機期間を超えるまでの期間、前記描画部を動作状態に維持する請求項１から３のいずれか一項記載の車両用装置。
【請求項５】
電源電圧が所定の基準値を下回ったか否かを検知する検知部（２７）を備え、
前記維持部は、車両を停止させる操作を示す信号が入力された後、前記検知部によって電源電圧が所定の基準値を下回ったことが検知されるまでの期間、前記描画部を動作状態に維持する請求項１から４のいずれか一項記載の車両用装置。
【請求項６】
前記描画部は、車両を停止させる操作を示す信号が入力された際、車両用装置の停止を示すメッセージ、および車両用装置の停止を示す画像のうち少なくとも一方を描画する請求項１から４のいずれか一項記載の車両用装置。
【請求項７】
前記維持部は、前記描画部が前記表示器への描画を行う際に利用するデバイス（２０、２１）を含めて、動作状態を維持する請求項１から６のいずれか一項記載の車両用装置。